【手続補正書】
【提出日】平成28年3月18日(2016.3.18)
【手続補正１】
【補正対象書類名】特許請求の範囲
【補正対象項目名】全文
【補正方法】変更
【補正の内容】
【特許請求の範囲】
【請求項１】
フォーカスレンズを含む撮影光学系で結像された被写体像を撮像する撮像素子と、
前記撮像素子から出力された画像データに基づいて予め設定された焦点検出領域のコントラストを示す焦点評価値を算出する焦点評価値算出手段と、
前記焦点評価値がピーク位置となるように前記フォーカスレンズの位置を調整する自動焦点調節手段と、
前記焦点調節手段の実行を指示する指示手段と、
手動で前記フォーカスレンズを移動させることが可能なマニュアルフォーカス手段と、
前記マニュアルフォーカス手段によるマニュアルフォーカスが実行された後に前記指示手段による指示に応じて前記マニュアルフォーカスにて移動したフォーカスレンズの位置を基準として自動焦点調節を実行する実行手段と、
前記焦点検出領域内に所定値よりも高い輝度の被写体が存在しているか否かを判定する判定手段と、を有し、
前記焦点評価値算出手段は、抽出する帯域の異なる複数のフィルタで複数の焦点評価値を算出しており、
前記自動焦点調節手段は、前記焦点検出領域内に所定値よりも高い輝度の被写体が存在している場合の焦点評価値と前記焦点検出領域内に所定値よりも高い輝度の被写体が存在していない場合で、異なるフィルタから得られた焦点評価値を使用することを特徴とする撮像装置。
【請求項２】
フォーカスレンズを含む撮影光学系で結像された被写体像を撮像する撮像素子と、
前記撮像素子から出力された画像データに基づいて予め設定された焦点検出領域のコントラストを示す焦点評価値を算出する焦点評価値算出手段と、
前記焦点評価値がピーク位置となるように前記フォーカスレンズの位置を調整する自動焦点調節手段と、
前記焦点調節手段の実行を指示する指示手段と、
手動で前記フォーカスレンズを移動させることが可能なマニュアルフォーカス手段と、
前記マニュアルフォーカス手段によるマニュアルフォーカスが実行された後に前記指示手段による指示に応じて前記マニュアルフォーカスにて移動したフォーカスレンズの位置を基準として自動焦点調節を実行する実行手段と、
前記焦点検出領域内に所定値よりも高い輝度の被写体が存在しているか否かを判定する判定手段と、を有し、
前記焦点検出領域内に所定値よりも高い輝度の被写体が存在している場合と前記焦点検出領域内に所定値よりも高い輝度の被写体が存在していない場合で、前記焦点評価値のサンプリング間隔、前記実行手段による自動焦点調節で移動するフォーカスレンズの移動範囲及び前記焦点評価値を用いた合焦判定方法の少なくとも１つを異ならせることを特徴とする撮像装置。
【請求項３】
前記焦点検出領域内に所定値よりも高い輝度の被写体が存在している場合に、前記焦点検出領域内に所定値よりも高い輝度の被写体が存在していない場合よりも高い周波数帯域の焦点評価値を使用して自動焦点調節を行うことを特徴とする請求項１に記載の撮像装置。
【請求項４】
前記焦点検出領域内に所定値よりも高い輝度の被写体が存在している場合に、前記焦点検出領域内に所定値よりも高い輝度の被写体が存在していない場合よりも前記焦点評価値のサンプリング間隔及び前記実行手段による自動焦点調節で移動するフォーカスレンズの移動範囲の少なくとも一つを広げることを特徴とする請求項２に記載の撮像装置。
【請求項５】
前記実行手段は、前記焦点検出領域内に所定値よりも高い輝度の被写体が存在していないと判定されたとき、前記フォーカスレンズの移動範囲内の端で前記焦点評価値が登り止まった端の位置を合焦位置とする合焦判定方法を用い、
前記焦点検出領域内に所定値よりも高い輝度の被写体が存在していると判定されたとき、前記フォーカスレンズの移動範囲内の端で前記焦点評価値が登り止まった場合には前記マニュアルフォーカスにて移動したフォーカスレンズの位置を合焦位置とする合焦判定方法を用いることを特徴とする請求項２に記載の撮像装置。
【請求項６】
前記実行手段は、前記焦点検出領域内に所定値よりも高い輝度の被写体が存在していると判定された場合において、前記焦点評価値のピーク位置が検出できたとしても、前記焦点評価値のピーク位置が前記焦点検出領域内に所定値よりも高い輝度の被写体が存在していないと判定された場合に設定されるフォーカスレンズの移動範囲の範囲外にあったとき、前記マニュアルフォーカスにて移動したフォーカスレンズの位置を合焦位置とする合焦判定方法を用いることを特徴とする請求項２に記載の撮像装置。
【請求項７】
前記自動焦点調節は、前記焦点評価値を輝度信号で正規化した焦点評価値を用いることを特徴とする請求項１乃至６の何れか一項に記載の撮像装置。
【請求項８】
前記実行手段は、前記撮影光学系で結像された被写体像の輝度が所定の輝度値よりも暗いとき、前記焦点検出領域内に所定値よりも高い輝度の被写体が存在している場合の焦点評価値と前記焦点検出領域内に所定値よりも高い輝度の被写体が存在していない場合の焦点評価値を異ならせることを特徴とする請求項１に記載の撮像装置。
【請求項９】
前記実行手段は、前記撮影光学系で結像された被写体像の輝度が第１の輝度値よりも暗いとき、前記焦点検出領域内に所定値よりも高い輝度の被写体が存在している場合と前記焦点検出領域内に所定値よりも高い輝度の被写体が存在していない場合で、前記焦点評価値のサンプリング間隔及び前記実行手段による自動焦点調節で移動するフォーカスレンズの移動範囲及び前記焦点評価値を用いた合焦判定方法の全てを異ならせることを特徴とする請求項２に記載の撮像装置。
【請求項１０】
前記実行手段は、前記指示手段による指示時の前記撮影光学系で結像された被写体像の輝度が前記第１の輝度値と前記第１の輝度値よりも明るい第２の輝度値の間にあるとき、前記焦点検出領域内に所定値よりも高い輝度の被写体が存在している場合と前記焦点検出領域内に所定値よりも高い輝度の被写体が存在していない場合で前記焦点評価値を用いた合焦判定方法のみを異ならせることを特徴とする請求項２に記載の撮像装置。
【手続補正２】
【補正対象書類名】明細書
【補正対象項目名】００１０
【補正方法】変更
【補正の内容】
【００１０】
そこで、本発明に係る撮像装置は、フォーカスレンズを含む撮影光学系で結像された被写体像を撮像する撮像素子と、前記撮像素子から出力された画像データに基づいて予め設定された焦点検出領域のコントラストを示す焦点評価値を算出する焦点評価値算出手段と、前記焦点評価値がピーク位置となるように前記フォーカスレンズの位置を調整する自動焦点調節手段と、前記焦点調節手段の実行を指示する指示手段と、手動で前記フォーカスレンズを移動させることが可能なマニュアルフォーカス手段と、前記マニュアルフォーカス手段によるマニュアルフォーカスが実行された後に前記指示手段による指示に応じて前記マニュアルフォーカスにて移動したフォーカスレンズの位置を基準としてオートフォーカスを実行するオートフォーカス設定手段と、前記焦点検出領域内に所定値よりも高い輝度の被写体が存在しているか否かを判定する判定手段と、を有し、前記焦点評価値算出手段は、抽出する帯域の異なる複数のフィルタで複数の焦点評価値を算出しており、前記自動焦点調節手段は、前記焦点検出領域内に所定値よりも高い輝度の被写体が存在している場合の焦点評価値と前記焦点検出領域内に所定値よりも高い輝度の被写体が存在していない場合で、異なるフィルタから得られた焦点評価値を使用することを特徴とする。
【手続補正３】
【補正対象書類名】明細書
【補正対象項目名】００１１
【補正方法】変更
【補正の内容】
【００１１】
また、本発明に係る撮像装置は、フォーカスレンズを含む撮影光学系で結像された被写体像を撮像する撮像素子と、前記撮像素子から出力された画像データに基づいて予め設定された焦点検出領域のコントラストを示す焦点評価値を算出する焦点評価値算出手段と、前記焦点評価値がピーク位置となるように前記フォーカスレンズの位置を調整する自動焦点調節手段と、前記焦点調節手段の実行を指示する指示手段と、手動で前記フォーカスレンズを移動させることが可能なマニュアルフォーカス手段と、前記マニュアルフォーカス手段によるマニュアルフォーカスが実行された後に前記指示手段による指示に応じて前記マニュアルフォーカスにて移動したフォーカスレンズの位置を基準として自動焦点調節を実行する実行手段と、前記焦点検出領域内に所定値よりも高い輝度の被写体が存在しているか否かを判定する判定手段と、を有し、前記焦点検出領域内に所定値よりも高い輝度の被写体が存在している場合と前記焦点検出領域内に所定値よりも高い輝度の被写体が存在していない場合で、前記焦点評価値のサンプリング間隔、前記実行手段による自動焦点調節で移動するフォーカスレンズの移動範囲及び前記焦点評価値を用いた合焦判定方法の少なくとも１つを異ならせることを特徴とする。